(57)【要約】      （修正有）【課題】睡眠時の姿勢を変えて気道を引っ張ることにより、気道の緩みによって振動音が生じるのを防ぐことができる鼾減少枕を提供する。【解決手段】枕本体と、少なくとも一つの嵩上げ層とからなる。枕本体表面は、一端が高部、他端が低部を呈するとともに、高部の中央付近両側にそれぞれ陥没部が設けられることにより、中央に弧状の突起部１３が形成される。更に、少なくとも一つの嵩上げ層は、枕本体の低部に設けられる。以上の構造により、嵩上げ層を調整して、枕の高さを使用者の需要に合わせるとともに、使用者が寝た後、枕本体に設けられた突起部１３によって、使用者の頭部が左右両側へ傾いて気道が引っ張られるため、気道の弛緩から生じる鼾を防ぐことができる。【選択図】図１
0003191987.tif 000002
【実用新案登録請求の範囲】
【請求項１】
枕本体と、少なくとも一つの嵩上げ層とからなる、鼾減少枕であって、
前記枕本体表面は、一端が高部、他端が低部を呈するとともに、前記高部の中央付近両側にそれぞれ陥没部が設けられることにより、中央に弧状の突起部が形成され、
少なくとも一つの前記嵩上げ層は、前記枕本体の低部に設けられ、
以上の構造により、
少なくとも一つの前記嵩上げ層を調整することによって、枕の高さを使用者の需要に合わせ、
前記枕本体に設けられた突起部によって、寝ている使用者の頭部が左右両側へ傾いて気道が引っ張られることにより、気道の弛緩から生じる鼾を防ぐことを特徴とする、鼾減少枕。
【請求項２】
前記枕本体の表面における突起部両側には、窪んだ形状の凹部がそれぞれ設けられることを特徴とする、請求項１に記載の鼾減少枕。
【請求項３】
前記枕本体は、内外二層の構造を有し、
前記枕本体外層は、柔軟な、或いは低反発のウレタンフォームであり、
前記枕本体内層は、弾性を備えた硬質ＰＵ乳剤、或いは硬質発泡プラスチック体からなることを特徴とする、請求項１に記載の鼾減少枕。
【請求項４】
前記枕本体の凹状溝内には、更に第一エリアと第二エリアが設けられ、
前記第二エリアは、弾性係数が前記枕本体の外層構造よりも大きいウレタンフォームからなることを特徴とする、請求項１に記載の鼾減少枕。
【請求項５】
前記枕本体と前記第二エリアは、一体成形によってなることを特徴とする、請求項４に記載の鼾減少枕。
【請求項６】
前記第二エリアは、ウレタンフォームからなるとともに、取外し可能に設けられることを特徴とする、請求項４に記載の鼾減少枕。
【考案の詳細な説明】
【技術分野】
【０００１】
本考案は、枕に関し、特に住居、旅館、或いはこれらに類した状況での睡眠に適した、鼾減少枕に関する。
【背景技術】
【０００２】
鼾をかく主な原因は、睡眠時に、下垂する可能性のある上気道の部位（例えば、口蓋垂、軟口蓋、扁桃腺前後の口蓋弓、舌根）に生じた変化により、気道が狭くなり、気道への吸気に伴って振動音が生じることにある。このような症状があると、隣りの人の睡眠に影響を及ぼし、症状が重い場合は睡眠時無呼吸症候群によって死亡することも有り得る。
【０００３】
よって、本考案者は、既に台湾特許第Ｍ４４６５８６号「鼾防止枕」において、鼾の症状を改善するための構造を開示している。前記鼾防止枕は、一体成形された枕本体に枕カバーが被せられることによってなる。前記枕本体表面には、隆起部が形成される。前記隆起部は、枕本体表面の一部エリアにおいて弧状に隆起しており、隆起する高さ、面積、及び形状は、寝ている使用者の頚椎を支えるように設けられる。以上の構造により、使用者が寝ている時、前記隆起部の支持点が小さいことによって、使用者の頭部が左右両側に傾く。
【０００４】
上述の構造は、鼾を防止するという長所を有するものの、一体成形のため高さの調整ができない。よって、改善の余地がある。
【先行技術文献】
【特許文献】
【０００５】
【特許文献１】台湾特許第Ｍ４４６５８６号明細書
【考案の概要】
【考案が解決しようとする課題】
【０００６】
本考案は、睡眠時の姿勢を変えて気道を引っ張ることにより、気道の緩みによって振動音が生じるのを防ぐことができる、鼾減少枕を提供することを目的とする。
【課題を解決するための手段】
【０００７】
上述の目的を達成するため、本考案の鼾減少枕は、枕本体と、少なくとも一つの嵩上げ層とからなる。前記枕本体表面は、一端が高部、他端が低部を呈するとともに、前記高部の中央付近両側にそれぞれ陥没部が設けられることにより、中央に弧状の突起部が形成される。更に、少なくとも一つの前記嵩上げ層は、枕本体の低部に設けられる。以上の構造により、嵩上げ層を調整して、枕の高さを使用者の需要に合わせるとともに、使用者が寝た後、枕本体に設けられた突起部によって使用者の頭部が左右両側へ移動して気道が引っ張られるため、気道の弛緩による鼾を解消できる。
【０００８】
前記鼾減少枕において、前記枕本体の表面における突起部両側には、窪んだ形状の凹部がそれぞれ設けられる。
【０００９】
前記鼾減少枕において、前記枕本体は、内外二層の構造を有する。前記枕本体外層は、柔軟な、或いは低反発のウレタンフォームであり、前記枕本体内層は、弾性を備えた硬質ＰＵ乳剤、或いは硬質発泡プラスチック体からつくられる。
【００１０】
本考案におけるその他の特長、及び実施例については、以下、図を参照しつつ詳細に説明する。
【図面の簡単な説明】
【００１１】
【図１】本考案の実施例１の外観を示した斜視図である。
【図２】本考案の実施例１の部品を示した分解側方視図である。
【図３】本考案の実施例１の使用状態を示した概略図１である。
【図４】本考案の実施例１の使用状態を示した概略図２である。
【図５】図４における鼾減少の様子を示した概略図である。
【図６】本考案の実施例２の部品を示した分解側方視図である。
【図７】図６の使用状態を示した概略図である。
【考案を実施するための形態】
【００１２】
（実施例１）
図１、図２を参照する。本考案の鼾減少枕１は、枕本体１１と、少なくとも一つの嵩上げ層１５とからなる。枕本体１１表面は、一端が高部、他端が低部を呈するとともに、前記高部の中央付近両側にそれぞれ陥没部１２が設けられることにより、中央に弧状の突起部１３が形成される。更に枕本体１１表面には、二つの凹状溝１４が設けられる。嵩上げ層１５は、枕本体１１低部に設けられる。以上の構造により、鼾減少枕１が形成される。
【００１３】
枕本体１１は、内外二層の構造をなし、外層は柔軟な、或いは低反発のウレタンフォームであり、内層は弾性のある硬質ＰＵ乳剤、或いは硬質発泡プラスチック体からつくられる。陥没部１２の窪みの深さは、寝ている使用者５の頚椎を支えるように設けられる。以上の構造により、形成された突起部１３の支持点が小さくなるため、使用者５の頭部が左右両側に傾く。
【００１４】
使用時について、図３を参照する。使用者５は、頚椎を突起部１３に合わせて仰向けに寝る。寝たばかりの使用者５にはまだ意識があるため、頚椎は安定的に突起部１３上に置かれており、頭部は正面が上を向いた状態である。使用者５の眠りが深くなり無意識の状態になると、頚椎付近の筋肉が緩む。この時、突起部１３の支持点が小さいため、使用者５の頭部は左右両側に傾く（図４を参照）。この時、頭部正面が左右を向いた状態のため、使用者５の気道５１が引っ張られて開かれる（図５を参照）。以上により、気道の弛緩によって生じる振動音を防ぎ、鼾を防ぐという目的を達成する。
【００１５】
また、使用者５が本考案を使用する時、頭部側方を直接凹状溝１４内に置いて横臥することも可能である。この場合も、弛緩によって気道が狭まり鼾をかくということはない。更に、枕本体１１下方に重ねられた嵩上げ層１５は、個人の需要に応じて増やしたり減らしたりすることにより、望ましい高さに調節することができる。
【００１６】
（実施例２）
図６を参照する。図は、本考案の鼾減少枕１の実施例２を示している。枕本体１１は、内外二層の構造をなし、外層は柔軟な、或いは低反発のウレタンフォームであり、内層は弾性のある硬質ＰＵ乳剤、或いは硬質発泡プラスチック体からつくられる。
【００１７】
実施例２において、枕本体１１の凹状溝１４内には、更に第一エリア１４１と第二エリア１４２が設けられる。第二エリア１４２は、弾性係数が上述の外層構造よりも大きいウレタンフォームからなるため、更に柔軟性が向上する。
【００１８】
上述の第二エリア１４２は、枕本体１１と一体成形される。或いは、第二エリア１４２は、ウレタンフォームからなるとともに取外し可能に設けられ、且つ枕本体１１に嵌合される。
【００１９】
図７を参照する。人が横臥する時、耳には大きな圧力がかかり、長く圧迫され続けると、頭痛や睡眠障害を招きやすい。よって、特に枕本体１１の第二エリア１４２内に、弾性係数が前述の外層構造よりも大きいウレタンフォームを使用することにより、耳への圧力を低下させ、更に睡眠品質を向上することができる。
【符号の説明】
【００２０】
１            鼾減少枕
１１   枕本体
１２   陥没部
１３   突起部
１４   凹状溝
１４１ 第一エリア
１４２ 第二エリア
１５   嵩上げ層
５            使用者
５１   気道
【図１】
0003191987.tif 000003
【図２】
0003191987.tif 000004
【図３】
0003191987.tif 000005
【図４】
0003191987.tif 000006
【図５】
0003191987.tif 000007
【図６】
0003191987.tif 000008
【図７】
0003191987.tif 000009